(57)【要約】【課題】  懸濁水を浄化する浄化装置に係る管理データを顧客毎に取得し、所定期間の管理料金を容易且つ適切に決定することのできる遠隔データ管理システムおよび遠隔データ管理方法、遠隔データ管理プログラム、並びにそのプログラムを記録したコンピュータ読み取り可能な記録媒体を提供する。【解決手段】  逆洗手段に用いた水の流量データ及びフィルタ装置Ｄから排出された水の流量データを含む管理データを、通信回線（インターネット網１）を通じ取得する管理データ取得手段（遠隔データ管理プログラムＭ）と、前記管理データ取得手段により取得した流量データを積算し、所定期間における前記逆洗手段に用いた水の積算流量データ及び前記フィルタ装置から排出された水の積算流量データを算出する積算手段（遠隔データ管理プログラムＭ）と、前記積算流量データに基づき顧客に対する請求額を算出する料金算出手段（遠隔データ管理プログラムＭ）とを備える。【選択図】  図１
2005334719.tif 000002
【特許請求の範囲】
【請求項１】
懸濁水を濾過する濾過装置の濾過方向とは逆方向に洗浄水を流して濾材に付着した懸濁物質を除去する逆洗手段を有し、前記逆洗手段に用いた洗浄水をフィルタ装置により浄化し該逆洗手段に再び用いる浄化装置を、顧客毎に管理する遠隔データ管理システムであって、
前記逆洗手段に用いた水の流量データ及び前記フィルタ装置から排出された水の流量データを含む管理データを、通信回線を通じ取得する管理データ取得手段と、
前記管理データ取得手段により取得した流量データを積算し、所定期間における前記逆洗手段に用いた水の積算流量データ及び前記フィルタ装置から排出された水の積算流量データを算出する積算手段と、
前記積算流量データに基づき顧客に対する請求額を算出する料金算出手段とを備えることを特徴とする遠隔データ管理システム。
【請求項２】
前記料金算出手段は、
前記逆洗手段に用いた水の積算流量データと前記フィルタ装置から排出された水の積算流量データとから削減排水量データを算出し、前記削減排水量データに基づき顧客に対する請求金額を算出することを特徴とする請求項１に記載された遠隔データ管理システム。
【請求項３】
前記管理データを表示する表示手段を備え、
前記管理データは、さらに少なくとも前記フィルタ装置における水温データ、圧力データ、フィルタ使用時間のデータ、運転状態に係るデータのいずれかを含むことを特徴とする請求項１または請求項２に記載された遠隔データ管理システム。
【請求項４】
懸濁水を濾過する濾過装置の濾過方向とは逆方向に洗浄水を流して濾材に付着した懸濁物質を除去する逆洗手段を有し、前記逆洗手段に用いた洗浄水をフィルタ装置により浄化し該逆洗手段に再び用いる浄化装置を、顧客毎に管理する遠隔データ管理方法であって、
前記逆洗手段に用いた水の流量データ及び前記フィルタ装置から排出された水の流量データを含む管理データを、通信回線を通じ取得するステップと、
前記管理データ取得手段により取得した流量データを積算し、所定期間における前記逆洗手段に用いた水の積算流量データ及び前記フィルタ装置から排出された水の積算流量データを算出するステップと、
前記積算流量データに基づき顧客に対する請求額を算出するステップとを含むことを特徴とする遠隔データ管理方法。
【請求項５】
前記顧客に対する請求額を算出するステップは、
前記逆洗手段に用いた水の積算流量データと前記フィルタ装置から排出された水の積算流量データとから削減排水量データを算出するステップと、
前記削減排水量データに基づき顧客に対する請求金額を算出するステップを含むことを特徴とする請求項４に記載された遠隔データ管理方法。
【請求項６】
前記管理データを表示するステップをさらに含み、
前記管理データは、さらに少なくとも前記フィルタ装置における水温データ、圧力データ、フィルタ使用時間のデータ、運転状態に係るデータのいずれかを含むことを特徴とする請求項４または請求項５に記載された遠隔データ管理方法。
【請求項７】
懸濁水を濾過する濾過装置の濾過方向とは逆方向に洗浄水を流して濾材に付着した懸濁物質を除去する逆洗手段を有し、前記逆洗手段に用いた洗浄水をフィルタ装置により浄化し該逆洗手段に再び用いる浄化装置を、顧客毎に管理する遠隔データ管理プログラムであって、
コンピュータに、前記逆洗手段に用いた水の流量データ及び前記フィルタ装置から排出された水の流量データを含む管理データを、通信回線を通じ取得するステップと、
前記管理データ取得手段により取得した流量データを積算し、所定期間における前記逆洗手段に用いた水の積算流量データ及び前記フィルタ装置から排出された水の積算流量データを算出するステップと、
前記積算流量データに基づき顧客に対する請求額を算出するステップとを実行させることを特徴とする遠隔データ管理プログラム。
【請求項８】
前記顧客に対する請求額を算出するステップは、
前記逆洗手段に用いた水の積算流量データと前記フィルタ装置から排出された水の積算流量データとから削減排水量データを算出するステップと、
前記削減排水量データに基づき顧客に対する請求金額を算出するステップを含むことを特徴とする請求項５に記載された遠隔データ管理プログラム。
【請求項９】
前記管理データを表示するステップをさらに含み、
前記管理データは、さらに少なくとも前記フィルタ装置における水温データ、圧力データ、フィルタ使用時間のデータ、運転状態に係るデータのいずれかを含むことを特徴とする請求項７または請求項８に記載された遠隔データ管理プログラム。
【請求項１０】
前記請求項８乃至請求項９のいずれかに記載された遠隔データ管理プログラムを記録したコンピュータ読み取り可能な記録媒体。
【発明の詳細な説明】
【技術分野】
【０００１】
本発明は、顧客ごとの浄化装置に係る管理データに基づき料金を算出する遠隔データ管理システムおよび遠隔データ管理方法、遠隔データ管理プログラム、並びにそのプログラムを記録したコンピュータ読み取り可能な記録媒体に関する。
【背景技術】
【０００２】
従来から、風呂水、プール用水、海水、池水などにおける微生物、有機物および無機物などの懸濁物質を除去、浄化するために、浄化装置が用いられている。特に、風呂水、プール用水は、省エネルギーの観点から、浄化装置を介して懸濁物質を除去し、水を浄化することにより、繰り返し使用されている。
【０００３】
この浄化装置は濾過装置を備え、この濾過装置によって、前記した微生物、有機物および無機などの懸濁物質を除去している。前記濾過装置としては、緩速濾過装置と急速濾過装置が一般的に用いられているが、特に、風呂水、プール用水などの洗浄を行なう場合には、急速濾過装置を備えた浄化装置が用いられている。この急速濾過装置は、微生物、有機物および無機物などの懸濁物質を捕捉するために、細孔を有する濾材が用いられている。
【０００４】
このため、浄化を開始すると、濾材の表面にフロック（微生物、有機物および無機などの懸濁物質等の微粒子が結合した集合体）が徐々に形成され、濾材の捕捉能力が徐々に低下する。そして、最終的に、前記フロックを捕捉出来なくなり、キャリーオーバ（漏洩）するようになる。
【０００５】
斯かる問題を防止するために、フロックが濾材に溜まった段階で、濾材に対して逆方向から水を流す（浄化方向とは逆方向に水を流す）ことにより汚れ（フロック）を濾材から離脱させ、濾過装置外に排出する洗浄が行なわれている。従来、この濾材の洗浄に用いた洗浄水は、多量のフロックを含むため使用後は排水されていた。すなわち、プール用水や風呂水等から多量に導出した水を前記濾材洗浄のための洗浄水とし、使用後の（多量の）洗浄水をそのまま破棄していた。
【０００６】
従来、このように濾材の洗浄に用いた洗浄水が多量に破棄されていたため、本発明の発明者は、特許文献１（特願２００３−３１０８８６号）において、前記濾材洗浄に用いた洗浄水をフィルタ装置により浄化し、再び濾材洗浄に用いることで、プール用水や風呂水から導出する水量を少量に抑えることのできる浄化装置を提案した。
【０００７】
図１１に、特許文献１における浄化装置の全体の概略構成を示す。図１１に示す浄化装置２００において、風呂水Ｗを浄化する場合は、ポンプ１４を駆動し、導出管１０から浴槽Ａの水Ｗを導き出し、弁１２、ヘアーキャッチ装置１３、ポンプ１４、弁１５、五方弁１６を介して、濾過装置Ｂの上部に設けられた配管１８から濾過装置Ｂ内に導入する。また、この導出管１０を通過する水Ｗに対して、ポンプ２８を駆動することにより、薬液管２９を介し薬液注入装置Ｃから塩素等の薬液が導入される。
なお、浄化の際、弁２３、弁２１、弁２６は閉じられている。
【０００８】
前記濾過装置Ｂに導入された水Ｗは、図示しない濾材によって微生物、有機物および無機などの懸濁物質（フロック）が除去され、濾過される。そして、濾過された水Ｗは、濾過装置Ｂの下部から導出され、配管１９、五方弁１６、弁１７を介して、導入管１１によって浴槽Ａに導入される。
【０００９】
一方、濾過装置Ｂの洗浄を行なう場合、まず弁１２を閉じ、弁２６を開く。尚、弁１５、弁２３は開き、弁１７、弁２１は閉じる。
そして、ポンプ１４を駆動すると、導出管１０、濾過装置Ｂ内にある風呂水Ｗは、ポンプ１４、弁１５、五方弁１６を介して、配管１９を経由し、濾過装置Ｂの下部から濾過装置Ｂ内に導入される。
前記濾過装置Ｂに導入された水Ｗ（洗浄水）は、濾材から微生物、有機物および無機などの懸濁物質（フロック）を脱落させ、濾過装置Ｂの上部から排出される（便宜的に逆洗処理と称す）。
【００１０】
この逆洗処理による洗浄後の洗浄水は、配管１８、五方弁１６、弁２３、配管２２を経由して、フィルタ装置Ｄに導入される。
そして、フィルタ装置Ｄに導入された水（洗浄水）は、このフィルタ装置Ｄによって浄化され、戻り管２５によって、再び、導出管１０に戻され、洗浄水として用いられ、これが繰り返される。
そして、濾過装置Ｂの洗浄（逆洗処理）が終了した場合には、導出管１０、濾過装置Ｂ、配管２２、フィルタ装置Ｄ、戻り管２５、導出管１０によって構成された循環路中の洗浄水を、排水管２７から排水、廃棄する。
【００１１】
このように、特許文献１に示した浄化装置２００にあっては、フィルタ装置Ｄを設けたことにより、少量の水（洗浄水）で濾材の浄化処理を行うことができる。このため、この浄化装置２００の構成は、経済上、水の有効利用の点から好ましい。すなわち、プールや公衆浴場等の運営者にとっては、水道料のコスト削減のメリットを得ることができる。
【００１２】
【特許文献１】特開２００３−３１０８８６号公報
【発明の開示】
【発明が解決しようとする課題】
【００１３】
前記したように、プールや公衆浴場の営業者は、特許文献１に示した浄化装置２００を用いることにより、運用コストの低減が期待できるが、例えば、一ヶ月における具体的なコスト削減量を知る手段は、特許文献１には示されなかった。
また、浄化装置２００の処理能力や使用頻度により、前記フィルタ装置Ｄ等の耐久性が異なるため、浄化装置２００の管理（メンテナンス）会社が顧客に対し所定期間（例えば一ヶ月）の管理料金を一律とするのは不公平であり、所定期間におけるコスト削減量、即ちフィルタ装置Ｄの導入により従来よりも得られた利益に応じて管理料金が決定されることが望まれていた。
【００１４】
また、浄化装置２００が正常に運転される状態を維持するためには、フィルタ装置Ｄ等の動作を常時監視することが必要であるが、管理会社の抱える顧客が多数存在する場合、すなわち浄化装置２００の設置場所が多数に跨る場合には、メンテナンスのサービスマンが設置場所で常に監視することは現実的に困難であるという問題もあった。
【００１５】
本発明は、前記したような事情の下になされたものであり、懸濁水を浄化する浄化装置に係る管理データを顧客毎に取得し、所定期間の管理料金を容易且つ適切に決定することのできる遠隔データ管理システムおよび遠隔データ管理方法、遠隔データ管理プログラム、並びにそのプログラムを記録したコンピュータ読み取り可能な記録媒体を提供することを目的とする。
【課題を解決するための手段】
【００１６】
上記課題を解決するために、本発明にかかる遠隔データ管理システムは、懸濁水を濾過する濾過装置の濾過方向とは逆方向に洗浄水を流して濾材に付着した懸濁物質を除去する逆洗手段を有し、前記逆洗手段に用いた洗浄水をフィルタ装置により浄化し該逆洗手段に再び用いる浄化装置を、顧客毎に管理する遠隔データ管理システムであって、前記逆洗手段に用いた水の流量データ及び前記フィルタ装置から排出された水の流量データを含む管理データを、通信回線を通じ取得する管理データ取得手段と、前記管理データ取得手段により取得した流量データを積算し、所定期間における前記逆洗手段に用いた水の積算流量データ及び前記フィルタ装置から排出された水の積算流量データを算出する積算手段と、前記積算流量データに基づき顧客に対する請求額を算出する料金算出手段とを備えることに特徴を有する。
また、前記料金算出手段は、前記逆洗手段に用いた水の積算流量データと前記フィルタ装置から排出された水の積算流量データとから削減排水量データを算出し、前記削減排水量データに基づき顧客に対する請求金額を算出することが望ましい。
また、前記管理データを表示する表示手段を備え、前記管理データは、さらに少なくとも前記フィルタ装置における水温データ、圧力データ、フィルタ使用時間のデータ、運転状態に係るデータのいずれかを含むことが望ましい。
【００１７】
このように、本発明に係る遠隔データ管理システムによれば、管理データ取得手段により取得した積算流量データから、料金算出手段が、逆洗処理においてフィルタ装置により削減された排水量を算出し、さらに削減された水道コスト、熱量コスト等を算出し、算出された値から請求すべき所定期間の管理料金を算出することで、所定期間に使用された（排出された）水量に応じた適切な請求額を算出することができる。
また、管理データ取得手段が、各顧客が有する浄化装置について、その管理データを通信回線を通じて取得することにより、浄化装置の状態（フィルタ装置の状態）を容易に監視することができる。
【００１８】
また、上記課題を解決するために、本発明にかかる遠隔データ管理方法は、懸濁水を濾過する濾過装置の濾過方向とは逆方向に洗浄水を流して濾材に付着した懸濁物質を除去する逆洗手段を有し、前記逆洗手段に用いた洗浄水をフィルタ装置により浄化し該逆洗手段に再び用いる浄化装置を、顧客毎に管理する遠隔データ管理方法であって、前記逆洗手段に用いた水の流量データ及び前記フィルタ装置から排出された水の流量データを含む管理データを、通信回線を通じ取得するステップと、前記管理データ取得手段により取得した流量データを積算し、所定期間における前記逆洗手段に用いた水の積算流量データ及び前記フィルタ装置から排出された水の積算流量データを算出するステップと、前記積算流量データに基づき顧客に対する請求額を算出するステップとを含むことに特徴を有する。
また、前記顧客に対する請求額を算出するステップは、前記逆洗手段に用いた水の積算流量データと前記フィルタ装置から排出された水の積算流量データとから削減排水量データを算出するステップと、前記削減排水量データに基づき顧客に対する請求金額を算出するステップを含むことが望ましい。
また、前記管理データを表示するステップをさらに含み、前記管理データは、さらに少なくとも前記フィルタ装置における水温データ、圧力データ、フィルタ使用時間のデータ、運転状態に係るデータのいずれかを含むことが望ましい。
【００１９】
このように、本発明に係る遠隔データ管理方法によれば、取得した積算流量データから、逆洗処理においてフィルタ装置により削減された排水量を算出し、さらに削減された水道コスト、熱量コスト等を算出し、算出された値から請求すべき所定期間の管理料金を算出することで、所定期間に使用された（排出された）水量に応じた適切な請求額を算出することができる。
また、各顧客が有する浄化装置について、その管理データを通信回線を通じて取得することにより、浄化装置の状態（フィルタ装置の状態）を容易に監視することができる。
【００２０】
また、上記課題を解決するために、本発明にかかる遠隔データ管理プログラムは、懸濁水を濾過する濾過装置の濾過方向とは逆方向に洗浄水を流して濾材に付着した懸濁物質を除去する逆洗手段を有し、前記逆洗手段に用いた洗浄水をフィルタ装置により浄化し該逆洗手段に再び用いる浄化装置を、顧客毎に管理する遠隔データ管理プログラムであって、コンピュータに、前記逆洗手段に用いた水の流量データ及び前記フィルタ装置から排出された水の流量データを含む管理データを、通信回線を通じ取得するステップと、前記管理データ取得手段により取得した流量データを積算し、所定期間における前記逆洗手段に用いた水の積算流量データ及び前記フィルタ装置から排出された水の積算流量データを算出するステップと、前記積算流量データに基づき顧客に対する請求額を算出するステップとを実行させることに特徴を有する。
また、前記顧客に対する請求額を算出するステップは、前記逆洗手段に用いた水の積算流量データと前記フィルタ装置から排出された水の積算流量データとから削減排水量データを算出するステップと、前記削減排水量データに基づき顧客に対する請求金額を算出するステップを含むことが望ましい。
また、前記管理データを表示するステップをさらに含み、前記管理データは、さらに少なくとも前記フィルタ装置における水温データ、圧力データ、フィルタ使用時間のデータ、運転状態に係るデータのいずれかを含むことが望ましい。
【００２１】
このように、本発明に係る遠隔データ管理プログラムによれば、取得した積算流量データから、逆洗処理においてフィルタ装置により削減された排水量を算出し、さらに削減された水道コスト、熱量コスト等を算出し、算出された値から請求すべき所定期間の管理料金を算出することで、所定期間に使用された（排出された）水量に応じた適切な請求額を算出することができる。
また、各顧客が有する浄化装置について、その管理データを通信回線を通じて取得することにより、浄化装置の状態（フィルタ装置の状態）を容易に監視することができる。
【００２２】
また、上記課題を解決するために、本発明にかかるコンピュータ読み取り可能な記録媒体は、前記遠隔データ管理プログラムを記録していることに特徴を有している。
【発明の効果】
【００２３】
本発明によれば、懸濁水を浄化する浄化装置に係る管理データを顧客毎に取得し、複数の浄化装置の状態を監視すると共に、所定期間の管理料金を容易且つ適切に決定することのできる遠隔データ管理システムおよび遠隔データ管理方法、遠隔データ管理プログラム、並びにそのプログラムを記録したコンピュータ読み取り可能な記録媒体を提供することができる。
【発明を実施するための最良の形態】
【００２４】
以下、本発明にかかる一実施の形態につき、図に基づいて説明する。図１は、本発明に係る遠隔データ管理システムの全体の概略構成を模式的に示すブロック図である。図２は図１に示す各浄化装置の概略構成を示す図である。
なお、本実施の形態においては、本発明に係る遠隔データ管理システムを、管理会社Ｙが導入し、そのサービスを顧客Ｘ１、Ｘ２、Ｘ３、・・・に提供する場合の一例を示す。また、管理会社Ｙは、浄化装置１００の販売、取付、修理等の従来のサービス業務に加え、本発明に係る遠隔データ管理システムを導入しているものとする。すなわち、管理会社Ｙは、浄化装置Ｙを顧客Ｘ１、Ｘ２、Ｘ３、・・・にそれぞれ販売、納入し、さらに遠隔データ管理システムを用いたメンテナンス業務を行うものとする。
【００２５】
先ず、本システムの全体構成について説明する。図１に示すように、管理会社Ｙが有するインターネットサーバ２と、顧客Ｘ１、Ｘ２、Ｘ３、・・・が有するコンピュータ端末５とが通信回線網であるインターネット網１を介して接続されている。顧客Ｘ１、Ｘ２、Ｘ３、・・・は、例えば、プールや公衆浴場等の営業者であって、それぞれの槽の水を浄化するための浄化装置１００を有し、この浄化装置１００は、前記コンピュータ端末５に接続されている。
【００２６】
また、前記管理会社Ｙには、浄化装置１００に係る管理データを蓄積するためのデータサーバ３が設置される。そして、前記インターネットサーバ２は、前記複数のコンピュータ端末５が略同時に前記データサーバ３にアクセス可能とするために、タイムシェアリングシステム（時分割処理）により対応する。
【００２７】
さらに、管理会社Ｙには、毎月（所定期間）の管理料金を請求するための料金請求用コンピュータ４が設置されている。この料金請求用コンピュータ４は、銀行Ｚに対し、セキュリティシステム（図示せず）を介してオンライン接続されている。すなわち、料金請求用コンピュータ４は、顧客毎に毎月の管理料金（請求額）をデータサーバ３から受け取り、その請求金額データを銀行Ｚに送信し、顧客毎の口座から前記請求金額が引き落とされるようになされている。
また、料金請求用コンピュータ４は、セキュリティシステム（図示せず）の下、インターネット網１を介し、顧客Ｘ１、Ｘ２、Ｘ３、・・・が有するパーソナルコンピュータ等（図示せず）と接続可能に構成されている。すなわち、銀行Ｚを介さずに管理料金の回収を行う場合には、料金請求用コンピュータ４は、顧客のパーソナルコンピュータ等に請求金額データを直接送信するようになされている。
【００２８】
また、本発明に係る遠隔データ管理システムの実行中においては、データサーバ３が有するディスプレイ３ａ（表示手段）には管理作業者が直感的に操作しやすいようにＧＵＩ（Ｇｒａｐｈｉｃａｌ  Ｕｓｅｒ  Ｉｎｔｅｒｆａｃｅ）画面が表示される。このＧＵＩ画面は、データサーバ３内に格納された遠隔データ管理プログラムＭにより、その動作状態において表示される。すなわち、管理会社Ｙにおいて、管理作業者は、前記ＧＵＩ画面を介して、本システムを利用する。
【００２９】
また、前記浄化装置１００の基本的構成は、図２に示すように、前記した図１１の浄化装置と同じである。このため、この浄化装置１００の構成において、図１１の浄化装置２００の構成と同一の構成は、同一の符号で示し、その詳細な説明は省略する。
図２の浄化装置１００において、フィルタ装置Ｄから導出される洗浄水の通路となる戻り管２５には、この戻り管２５を流れる洗浄水の流量を測定する流量計６が設けられる。また、この流量計６による測定結果は前記コンピュータ端末５に入力され、コンピュータ端末５では、遠隔データ管理プログラムＭ（管理データ取得手段として機能）からの命令により、前記測定結果としての洗浄水の流量データを管理会社Ｙのデータサーバ３に送信するようになされている。
尚、前記流量計６により測定された流量データは、遠隔データ管理プログラムＭ（積算手段として機能）により所定期間（例えば一ヶ月）積算され、濾過装置Ｂの洗浄、すなわち逆洗処理に要した洗浄水の積算流量データとしてデータサーバ３において管理される。
【００３０】
さらに、浄化装置１００において、フィルタ装置Ｄから排水される洗浄水の通路となる排出管２７には、この排出管２７を流れる洗浄水（排水）の流量を測定する流量計７が設けられる。この流量計７による測定結果は前記コンピュータ端末５に入力され、コンピュータ端末５では、遠隔データ管理プログラムＭ（管理データ取得手段として機能）からの命令により、前記測定結果としての洗浄水（排水）の流量データを管理会社Ｙのデータサーバ３に送信するようになされている。
尚、前記流量計７により測定された流量データは、遠隔データ管理プログラムＭ（積算手段として機能）により所定期間（例えば一ヶ月）積算され、逆洗処理のために浴槽Ａから取り入れられた水Ｗの積算流量データ（逆洗処理に係る排水量）としてデータサーバ３において管理される。
【００３１】
また、前記コンピュータ端末５には、前記フィルタ装置Ｄから、洗浄水の温度、圧力データ、フィルタ使用時間、および運転状態に係るデータ（警報を含む）等の管理データが入力される。そして、それらのデータは、遠隔データ管理プログラムＭ（管理データ取得手段として機能）からの命令により前記管理会社Ｙのデータサーバ３に送信されるようになされている。
すなわち、管理会社Ｙにおいては、少なくとも濾過装置Ｂの洗浄（逆洗処理）が、フィルタ装置Ｄの作用によって問題なく行われているかを監視すると共に、フィルタ装置Ｄによって使用する水量が適切に削減されているかを監視するようになされている。
【００３２】
続いて、管理会社Ｙ内の管理作業者が本発明に係る遠隔データ管理システムを利用する場合における前記遠隔データ管理プログラムＭの動作について図３乃至図９に基づき説明する。図３乃至図９は、データサーバ３の画面上、あるいはデータサーバ３に接続された図示しないコンピュータ端末上に表示される画面の一例を夫々示している。なお、以下の説明においては適宜、図１及び図２を用いる。
【００３３】
管理会社Ｙ内の管理作業者が本発明に係る遠隔データ管理システムを利用する場合、先ずデータサーバ３のディスプレイ３ａの画面上に、図３に示すメニュー画面Ｗ１を開く。尚、このメニュー画面Ｗ１を開く際、予め決められたログインＩＤ（ユーザＩＤ）およびパスワードを入力して本システムにログインするのが好ましい。
【００３４】
図３のメニュー画面Ｗ１に示すように、この画面Ｗ１上には例えば顧客リストボタン５０、エラー発生顧客ボタン５１、新規登録ボタン５２が表示される。尚、前記顧客リストボタン５０をクリックした場合は顧客リストを表示するための画面が表示され、エラー発生顧客ボタン５１をクリックした場合は浄化装置１００に問題が発生した顧客（リスト）が表示される。また、新規登録ボタン５２をクリックした場合は、新規に顧客を登録する場合の入力画面が表示される。
【００３５】
例えば前記顧客リストボタン５０をクリックした場合、図４に示すように、先ず顧客検索画面Ｗ２が表示される。この顧客検索画面Ｗ２においては、２つの検索方法が示される。すなわち、エリア５３に顧客の物件名を直接入力し、検索ボタン５４をクリックする方法と、エリア５５に示される都道府県毎のボタンをクリックしてリスト表示する方法である。ここで、例えば、神奈川県のボタンをクリックした場合、図５に示すように神奈川県内における顧客のリストが顧客リスト画面Ｗ３として表示される。
【００３６】
この顧客リスト画面Ｗ３においては、例えば図示するように顧客名（物件名）５６としてＡの湯、Ｂの湯等の名前が表示され、その隣に市町村名５７が表示される。さらに、各顧客名５６、市町村名５７の端には検索ボタン５８が表示されており、それぞれの検索ボタン５８をクリックすることにより、その顧客に係るデータが表示されるようになされている。
【００３７】
尚、図示するように、画面下には前ページボタン５９、次ページボタン６０が表示され、前ページボタン５９をクリックした場合は前記顧客検索画面Ｗ２に戻るようになされ、次ページボタン６０をクリックした場合は次の顧客リスト画面が表示されるようになされている。
【００３８】
この顧客リスト画面Ｗ３において、例えばＡＢＣスパを選択した場合、図６に示すような監視画面Ｗ４が表示される。この監視画面Ｗ４においては、物件名称６１、物件の住所６２、浄化装置１００の設置台数６３が表示され、さらにそれぞれの浄化装置１００に係るデータが表示される。すなわち、各浄化装置１００について、浴槽名６４、濾過能力６５、型式６６、納入年月６７、現在の状況（正常か異常かの情報）６８、検索ボタン６９が表示される。前記検索ボタン６９をクリックした場合、選択した浄化装置１００について図７に示すような詳細画面Ｗ５が表示される。
【００３９】
この詳細画面Ｗ５においては、図示するように、前記の浴槽名６４、濾過能力６５、型式６６、納入年月６７、現在の状況（正常か異常かの情報）６８の他に、現在流量７０、積算流量７１、浴槽温度７２、濾過機圧力７３、フィルタ装置圧力７４、一括警報情報７５が表示される。
さらに、時間経過による変化を示すためにグラフとして、瞬間流量変化７６、濾過機圧力変化７７、浴槽温度変化７８、フィルタ装置圧力変化７９が表示される。
【００４０】
また、前記監視画面Ｗ４において、その画面下には、システムデータボタン８０と排水料金算出データボタン８１が表示される。このうち、システムデータボタン７１をクリックした場合、図８に示すように、各浄化装置１００について、前記の浴槽名６４、濾過能力６５、型式６６、納入年月６７、現在の状況（正常か異常かの情報）６８、現在流量７０、積算流量７１、浴槽温度７２、濾過機圧力７３、フィルタ装置圧力７４、一括警報情報７５が表示される。さらに検索ボタン６９が表示され、所望の検索ボタン６９をクリックすることにより、前記詳細画面Ｗ５が表示されるようになされている。
【００４１】
一方、排水料金算出データボタン７０をクリックした場合、図９に示すように、所定期間（当月）における排水料金に係る請求金額データが請求書形式で画面Ｗ７に表示される。すなわち、この画面を印刷することにより顧客に発行すべき請求書が作成可能になされている。この画面Ｗ７において、図示するように、例えば、所定期間（当月）の濾過装置Ｂの逆洗処理における洗浄水排水量８２、濾過装置Ｂの逆洗処理に要した積算流量（月の削減前基本排水量）８３、フィルタ装置Ｄによる削減排水量８４、削減水道量料金８５、削減熱量料金８６、請求額８７が表示される。
【００４２】
ここで、前記洗浄水排水量８２は、前記流量計７により測定された流量データの積算値である。また、濾過装置Ｂの逆洗処理に要した積算流量８３は、前記流量計６により測定された流量データの積算値である。また、フィルタ装置Ｄによる削減排水量８４は、前記積算流量８３から前記洗浄水排水量８２を減じた水量である。
即ち、削減排水量８４は、フィルタ装置Ｄがない場合に必要となった排水量（積算流量８３）から、フィルタ装置Ｄの導入によって実際に必要とされた排水量（洗浄水排水量８２）を減じた量であって、節約された排水量である。
そして、遠隔データ管理プログラムＭ（料金算出手段として機能）により、削減水道量料金８５及び削減熱量料金８６が、節約された排水量である削減排水量８４に基づき算出され、さらに当月の請求額が、削減水道量料金８５及び削減熱量料金８６に基づき算出される。
【００４３】
続いて、前記遠隔データ管理プログラムＭの処理により顧客Ｘ１、Ｘ２、Ｘ３、・・・に対し管理料金を請求するまでの流れを図１０のフローに基づき説明する。
先ず、遠隔データ管理プログラムＭ（管理データ取得手段として機能）は、各顧客の浄化装置１００について、濾過装置Ｂの洗浄（逆洗処理）に用いた水の流量データ及びフィルタ装置Ｄから排出された水の流量データをインターネット網１を介し逐次取得する（図１０のステップＳ１）。
次いで、遠隔データ管理プログラムＭ（積算手段として機能）は、取得した流量データを積算し、所定期間（例えば一ヶ月）における濾過装置Ｂの洗浄（逆洗処理）に用いた水の積算流量データ及びフィルタ装置Ｄから排出された水の積算流量データを算出する（図１０のステップＳ２）。
【００４４】
次いで、遠隔データ管理プログラムＭ（料金算出手段として機能）は、前記ステップ２により取得した積算流量データに基づき、節約された排水量である削減排水量データを算出し、この削減排水量データに基づき、所定期間における顧客に対する管理料金（請求額）を算出する（図１０のステップＳ３）。
尚、図９に示す例では、削減排水量８４から削減された水道料金（￥２８３，０１０）と削減された熱量料金（￥１８７，７４７）を算出し、それらの合計額、即ち排水量の削減により顧客が得た利益に対し、所定の割合分を請求額（￥１２４，８２７）として算出している。尚また、顧客が得た利益に対し、請求額を決定する割合は、任意に決められてよい。また、算出された請求額は、管理会社Ｙから各顧客宛に請求書として通知される。
【００４５】
次いで、遠隔データ管理プログラムＭは、算出した顧客毎の請求額のデータを、料金請求用コンピュータ４に受け渡す。料金請求用コンピュータ４は、顧客毎の請求金額データを銀行Ｚまたは顧客（顧客が有するパーソナルコンピュータ等）に送信する（図１０のステップＳ４）。
ここで、銀行Ｚを介して料金回収する顧客の場合、銀行Ｚは、料金請求用コンピュータ４から受け取った請求金額データに基づき、顧客の口座から請求額を引き落とし、管理会社Ｙの口座に入金する処理を行う。一方、銀行Ｚを介さず料金回収する顧客の場合には、顧客毎の支払手段により、管理会社Ｙに料金が支払われる。このように、所定期間における請求額料金の回収は、顧客毎に、銀行Ｚを介した支払手段、又はその他の支払手段により行われる（図１０のステップＳ５）。
【００４６】
尚、以上説明したステップＳ１〜Ｓ５の処理により、所定期間（例えば一ヶ月）における管理料金の請求額算出及び回収が行われるが、続けて、次の所定期間（次の月等）の処理を行う場合（図１０のステップＳ６）、ステップＳ１に戻り、ステップＳ１〜Ｓ５の処理が繰り返される。
【００４７】
以上のように、本発明に係る一実施の形態によれば、管理会社Ｙと、顧客Ｘ１、Ｘ２、Ｘ３、・・・とがそれぞれ通信回線網を介して接続され、各顧客が有する浄化装置１００について、その管理データを管理会社Ｙが通信回線を通じて取得することにより、逆洗処理においてフィルタ装置Ｄにより削減された排水量、および削減された水道コスト、熱量コスト等を算出し、算出された値から請求すべき所定期間の管理料金を算出するため、削減されたコスト（顧客の利益）に応じた適切な請求額を算出することができる。
また、管理会社Ｙは、複数の浄化装置１００の状態（フィルタ装置Ｄの状態）をディスプレイ上で容易に監視することができる。
【００４８】
なお、前記実施の形態において、遠隔データ管理プログラムＭが取得した管理データの値は、表示手段であるディスプレイ３ａ上で全て確認することができるが、管理データのうち、水温データは、熱量料金の算出等に用いられ、圧力データは、運転状態の検出等に用いられる。さらに、取得した管理データのうち、フィルタ使用時間のデータは、フィルタ交換の判断基準として使用され、運転状態に係るデータは、浄化装置１００が稼動状態か否か等の情報として処理される。さらに、圧力データ等の取得したデータが異常値を示す場合には、前記プログラムの判断処理により、警報が発信されるようになされる。
【００４９】
また、前記実施の形態において示したインターネットサーバ２と、データサーバ３と、料金請求用コンピュータ４が有する機能は、前述したように、それぞれ別々のコンピュータ（ＣＰＵ）として設置されてもよいが、それらのコンピュータ（ＣＰＵ）の個体数を制限する必要はなく、例えば一つのコンピュータ（ＣＰＵ）で全ての機能を担ってもよい。
また、遠隔データ管理プログラムのソフトウエアは、コンピュータ読み取り可能な記録媒体に記録された状態で提供されてもよく、あるいは、インターネット等のオンライン上で提供されてもよい。
【産業上の利用可能性】
【００５０】
本発明は、顧客ごとの浄化装置に係る管理データに基づき料金を算出する遠隔データ管理システムおよび遠隔データ管理方法、遠隔データ管理プログラム、並びにそのプログラムを記録したコンピュータ読み取り可能な記録媒体に関し、特に浄化装置の販売、メンテナンス業等を行う業種において好適に用いられる。
【図面の簡単な説明】
【００５１】
【図１】図１は、本発明に係る遠隔データ管理システムの全体の概略構成を模式的に示すブロック図である。
【図２】図２は図１に示す各浄化装置の概略構成を示す図である。
【図３】図３は、コンピュータ画面上に表示されるＧＵＩ画面の一例である。
【図４】図４は、コンピュータ画面上に表示されるＧＵＩ画面の一例である。
【図５】図５は、コンピュータ画面上に表示されるＧＵＩ画面の一例である。
【図６】図６は、コンピュータ画面上に表示されるＧＵＩ画面の一例である。
【図７】図７は、コンピュータ画面上に表示されるＧＵＩ画面の一例である。
【図８】図８は、コンピュータ画面上に表示されるＧＵＩ画面の一例である。
【図９】図９は、コンピュータ画面上に表示されるＧＵＩ画面の一例である。
【図１０】図１０は、遠隔データ管理プログラムの処理により顧客に対し管理料金を請求するまでの流れを示すフロー図である。
【図１１】図１１は、特許文献１に示される浄化装置の概略構成を示す図である。
【符号の説明】
【００５２】
１        インターネット網（通信回線）
２        インターネットサーバ
３        データサーバ
４        料金請求用コンピュータ
５        コンピュータ端末
６        流量計
７        流量計
１００    浄化装置
Ｂ        濾過装置
Ｄ        フィルタ装置
Ｍ        遠隔データ管理プログラム（管理データ取得手段、積算手段、料金算出手段）
Ｘ        顧客
Ｙ        管理会社
Ｚ        銀行
【図１】
2005334719.tif 000003
【図２】
2005334719.tif 000004
【図３】
2005334719.tif 000005
【図４】
2005334719.tif 000006
【図５】
2005334719.tif 000007
【図６】
2005334719.tif 000008
【図７】
2005334719.tif 000009
【図８】
2005334719.tif 000010
【図９】
2005334719.tif 000011
【図１０】
2005334719.tif 000012
【図１１】
2005334719.tif 000013